(57)【特許請求の範囲】
【請求項１】
視標光束を被検眼に向けて投影する視標呈示手段と、前記視標呈示手段の光路中であって前記視標光束の光学特性を変化する矯正手段と、を制御するための操作信号を入力する自覚式検眼装置用コントローラであって、
前記矯正手段を制御して前記視標光束の光学特性の変更するための第１操作信号を入力する第１操作部と、
前記視標呈示手段を制御して被検眼に向けて投影する前記視標光束を変更するための第２操作信号を入力する第２操作部と、
を備え、
手で前記第１操作部又は前記第２操作部を操作する位置から手の微少な動きによって前記第１操作部と前記第２操作部の双方が操作できる、又は、前記第１操作部又は前記第２操作部の一方の操作部に手が触れている状態で他方の操作部を操作できるように、前記第２操作部が前記第１操作部の周辺に配置されていることを特徴とする自覚式検眼装置用コントローラ。
【請求項２】
請求項１の自覚式検眼装置用コントローラにおいて、
前記第１操作部又は前記第２操作部のいずれか一方の操作部の周囲に、他方の操作部が配置されていることを特徴とする自覚式検眼装置用コントローラ。
【請求項３】
請求項２の自覚式検眼装置用コントローラにおいて、
前記第１操作部又は前記第２操作部の一方の操作部を中心として、その周囲に他方の操作部が配置されていることを特徴とする自覚式検眼装置用コントローラ。
【請求項４】
請求項１〜３のいずれかの自覚式検眼装置用コントローラにおいて、
さらに、検査段階を変更するための第３操作信号を入力する第３操作部を備え、
手で、前記第１操作部、前記第２操作部、又は前記第３操作部を操作する位置から手の微少な動きによって前記第１操作部と前記第２操作部と前記第３操作部が操作できる、又は、前記第１操作部、前記第２操作部、又は前記第３操作部の操作部に手が触れている状態で他の操作部を操作できるように、前記第３操作部が前記第１操作部の周辺に配置され、且つ、前記第２操作部の周辺に配置されていることを特徴とする自覚式検眼装置用コントローラ。
【請求項５】
請求項１〜４のいずれかの自覚式検眼装置用コントローラにおいて、
前記矯正手段は、被検眼の眼前に配置される光学素子を切り換えて配置する検眼ユニットであって、
前記第１操作部は、前記検眼ユニットの前記光学素子の切り換えを指示する前記第１操作信号を入力することを特徴とする自覚式検眼装置用コントローラ。
【請求項６】
請求項１〜５のいずれかの自覚式検眼装置用コントローラを有し、被検眼の屈折力を自覚的に検査する自覚式検眼装置であって、
前記視標呈示手段と、
前記矯正手段と、
前記自覚式検眼装置用コントローラからの操作信号に基づいて、前記視標呈示手段と前記矯正手段を制御する制御手段と、
を備えることを特徴とする自覚式検眼装置。
【発明の詳細な説明】
【技術分野】
【０００１】
本開示は、被検眼の屈折力等を自覚的に検査するために用いられる自覚式検眼装置用コントローラ、及び被検眼の屈折力等を自覚的に検査するための自覚式検眼装置に関する。
【背景技術】
【０００２】
従来、視標光束を被検眼に向けて投影する視標呈示手段と、視標呈示手段の光路中であって視標光束の光学特性を変化する矯正手段（例えば、レンズディスクに配置された種々のレンズ等の光学素子を検眼窓に切換え配置するレフラクター等）と、を制御することによって、被検眼の屈折力を自覚的に検査する自覚式検眼装置が知られている。これらは、備え付けのコントローラによって操作される。このコントローラにレンズの度数などが検者によって入力されると、矯正手段の制御が行われる。例えば、このコントローラにレンズの度数などが検者によって入力されると、レンズ等が電動で切り換えられる（特許文献１参照）。また、このコントローラを操作して検査に用いる視標を選択することによって、被検眼に向けて投影する視標光束が変更され、種々の視標を検者に呈示している。従来のコントローラは、各種スイッチ（回転ノブ、ボタンスイッチ（プッシュボタン））が設けられたベースと、自覚式検眼装置に配置された光学特性を表示するためのディスプレイから構成されていた。
【先行技術文献】
【特許文献】
【０００３】
【特許文献１】特開２０１１−０７２４３１号公報
【発明の概要】
【発明が解決しようとする課題】
【０００４】
ところで、従来のコントローラでは、視標呈示手段を制御するための操作部と、矯正手段を制御するための操作部と、が離れた位置に配置されている。このため、検者は、検査段階おいて、コントローラ上で手の位置を移動させながら、視標呈示手段と、矯正手段と、別途それぞれ操作する必要があった。このため、検者にとって手間であり負担となることがあった。また、コントローラ上で手の位置を移動させながらの調整は、検査時間がかかることがあった。例えば、特に、複数の検査段階（検査）を行う場合には、検査が終了するまでの時間がかかることがあった。
【０００５】
上記従来技術の問題点に鑑み、視標呈示手段と矯正手段との調整を容易に迅速に行うことができる自覚式検眼装置用コントローラ、及び自覚式検眼装置を提供することを技術課題とする。
【課題を解決するための手段】
【０００６】
上記課題を解決するために、本発明は以下のような構成を備えることを特徴とする。
【０００７】
（１）  本開示の第１態様に係る自覚式検眼装置用コントローラは、視標光束を被検眼に向けて投影する視標呈示手段と、前記視標呈示手段の光路中であって前記視標光束の光学特性を変化する矯正手段と、を制御するための操作信号を入力する自覚式検眼装置用コントローラであって、前記矯正手段を制御して前記視標光束の光学特性の変更するための第１操作信号を入力する第１操作部と、前記視標呈示手段を制御して被検眼に向けて投影する前記視標光束を変更するための第２操作信号を入力する第２操作部と、を備え、手で前記第１操作部又は前記第２操作部を操作する位置から手の微少な動きによって前記第１操作部と前記第２操作部の双方が操作できる、又は、前記第１操作部又は前記第２操作部の一方の操作部に手が触れている状態で他方の操作部を操作できるように、前記第２操作部が前記第１操作部の周辺に配置されていることを特徴とする。
（２）  本開示の第２態様に係る自覚式検眼装置は、（１）の自覚式検眼装置用コントローラを有し、被検眼の屈折力を自覚的に検査する自覚式検眼装置であって、前記視標呈示手段と、前記矯正手段と、前記自覚式検眼装置用コントローラからの操作信号に基づいて、前記視標呈示手段と前記矯正手段を制御する制御手段と、を備えることを特徴とする。
【図面の簡単な説明】
【０００８】
【図１】本開示に係る自覚式検眼装置を示した概略構成図を示している。
【図２】本開示に係る検眼ユニットを被検者側から見た外観概略図である。
【図３】本開示に係るコントローラの外観斜視図である。
【図４】本開示に係るコントローラを上方から見た図である。
【図５】本開示に係るコントローラのモニタの表示画面の一例を示す図である。
【発明を実施するための形態】
【０００９】
＜概要＞
以下、典型的な実施形態の１つについて、図面を参照して説明する。図１〜図５は本実施形態に係る自覚式検眼装置用コントローラ、及び自覚式検眼装置について説明するための図である。なお、以下の説明においては、自覚式検眼装置を例に挙げて説明する。なお、以下の＜＞にて分類された項目は、独立又は関連して利用されうる。
【００１０】
例えば、本実施形態における自覚式検眼装置（例えば、自覚式検眼装置１）は、検眼の屈折力を自覚的に検査するために用いられる。例えば、自覚式検眼装置は、視標呈示手段（例えば、視標呈示装置３０）と、矯正手段（例えば、検眼ユニット６０）と、自覚式検眼装置用コントローラ（例えば、コントローラ９）と、制御手段（例えば、制御部１２）と、等を備えてもよい。
【００１１】
例えば、視標呈示手段は、視標光束を被検眼に向けて投影する。例えば、矯正手段は、視標呈示手段の光路中であって視標光束の光学特性を変更する。例えば、自覚式検眼装置用コントローラは、視標呈示手段及び矯正手段を制御するための操作信号を入力する。例えば、制御手段は、自覚式検眼装置用コントローラからの操作信号に基づいて、視標呈示手段と矯正手段を制御する。なお、例えば、視標呈示手段と矯正手段を制御する制御手段としては、視標呈示手段の制御手段と矯正手段の制御手段とが兼用された構成であってもよい。また、例えば、視標呈示手段と矯正手段を制御する制御手段としては、視標呈示手段の制御手段と矯正手段の制御手段とが別途それぞれ設けられている構成であってもよい。もちろん、上記各制御手段は、複数の制御手段によって構成されてもよい。
【００１２】
＜自覚式検眼装置用コントローラ＞
例えば、自覚式検眼装置用コントローラは、矯正手段を制御するための第１操作部（例えば、回転ノブ３６）と、視標呈示手段を制御するための第２操作部（例えば、視標変更スイッチ４０）と、を備える。
【００１３】
例えば、第１操作部としては、種々の操作部を用いることができる。例えば、第１操作部の構成としては、ボタンスイッチ、回転ノブ、ジョグダイヤル、タッチパッド、タッチパネル、トラックボール等の少なくともいずれかが用いられてもよい。もちろん、例えば、第１操作部の構成としては、上記記載の種類の操作部に限らず、他の種類の操作部を用いてもよい。例えば、第２操作部としては、種々の操作部を用いることができる。例えば、第２操作部の構成としては、ボタンスイッチ、回転ノブ、ジョグダイヤル、タッチパッド、タッチパネル、トラックボール等の少なくともいずれかが用いられてもよい。もちろん、例えば、第２操作部の構成としては、上記記載の種類の操作部に限らず、他の種類の操作部を用いてもよい。もちろん、例えば、第１操作部と第２操作部は同一の種類の操作部であってもよいし、異なる種類の操作部が用いられてもよい。
【００１４】
例えば、第１操作部は、矯正手段を制御して視標光束の光学特性を変更するための第１操作信号を入力する。例えば、光学特性とは、球面度数、円柱度数、円柱軸、偏光特性、及び収差量、等の少なくともいずれかであってもよい。もちろん、例えば、光学特性とは、上記記載の光学特性とは異なる光学特性であってもよい。
【００１５】
例えば、第２操作部は、視標呈示手段を制御して被検眼に向けて投影する視標光束を変更するための第２操作信号を入力する。例えば、視標光束の変更とは、被検者に呈示される視標の変更であってもよい。例えば、被検者に呈示される視標の変更とは、視力値の異なる視標に変更する構成であってもよい。例えば、被検者に呈示される視標の変更とは、同一の視力値の視標であって、視標の形態（例えば、文字、模様等）が異なる視標に変更する構成であってもよい。例えば、被検者に呈示される視標の変更とは、異なる検査段階（例えば、異なる検査）にて用いられる視標に変更する構成であってもよい。
【００１６】
例えば、検者によって第１操作部が操作されると、自覚式検眼装置用コントローラ（例えば、自覚式検眼装置用コントローラの信号出力部）から第１操作信号が入力される。例えば、制御手段は、入力された第１操作信号を受信し、第１操作信号に基づいて矯正手段を制御して視標光束の光学特性を変更する。また、例えば、検者によって第２操作部が操作されると、自覚式検眼装置用コントローラ（例えば、自覚式検眼装置用コントローラの信号出力部）から第２操作信号が入力される。例えば、制御手段は、入力された第２操作信号を受信し、第２操作信号に基づいて視標呈示手段を制御して、被検眼に投影する視標光束を変更する。なお、第１操作部及び第２操作部のそれぞれは１つの操作部から構成されていてもよいし、複数の操作部から構成されていてもよい。
【００１７】
例えば、第２操作部は、第１操作部の周辺に配置されていてもよい。言い換えると、例えば、第１操作部は、第２操作部の周辺に配置されていてもよい。例えば、第２操作部は、第１操作部の周辺に配置されている構成とは、第１操作部の位置と第２操作部の位置との相対的な位置関係が近い関係の構成であればよい。すなわち、例えば、第２操作部は、第１操作部の周辺に配置されている構成とは、検者の手の微少な動き（例えば、指の動きのみ等）によって第１操作部と第２操作部との双方が操作できる構成、又は、検者が第１操作部又は第２操作部の一方の操作部に手が触れている状態で他方の操作部も操作できる構成等であってもよい。
【００１８】
例えば、自覚式検眼装置用コントローラにおいて、矯正手段を制御して視標光束の光学特性の変更するための第１操作信号を入力する第１操作部の周辺に、視標呈示手段を制御して被検眼に向けて投影する視標光束を変更するための第２操作信号を入力する第２操作部が配置されていることよって、検者がコントローラを操作して、被検眼の光学特性を自覚的に測定する場合に、コントローラ操作時における検者の手の移動を最小限とした状態で、視標光束の変更と視標光束の光学特性の変更を行うことができる。これによって、例えば、視標光束の変更と視標光束の光学特性の変更を行う際に、検者が手を移動させてコントローラを操作する手間を抑制することができ、視標呈示手段と矯正手段との調整を容易に迅速に行うことができる。また、例えば、視標光束の変更と視標光束の光学特性の変更を迅速に行うことができるため、検査時間を短縮することができる。
【００１９】
例えば、第２操作部が第１操作部の周辺に配置されている構成についてより詳細に説明する。例えば、第２操作部が第１操作部の周辺に配置されている構成とは、第１操作部又は第２操作部の一方の操作部上に他方の操作部が配置されている構成であってもよい。この場合、例えば、第１操作部と第２操作部が一体的に構成されていてもよい。また、例えば、第１操作部又は第２操作部の一方の操作部の一部に他方の操作部が配置されている構成であってもよい。
【００２０】
また、例えば、第２操作部が第１操作部の周辺に配置されている構成とは、第１操作部又は第２操作部のいずれか一方の操作部の周囲に、他方の操作部が配置されている構成であってもよい。例えば、第１操作部又は第２操作部のいずれか一方の操作部の周囲に、他方の操作部が配置されていることによって、指の移動等のより最小限の手の移動で、視標光束の変更と視標光束の光学特性の変更を行うことができるため、操作感をより向上させることができる。また、例えば、第１操作部又は第２操作部のいずれか一方の操作部の周囲に、他方の操作部が配置されていることによって、異なる位置にそれぞれの操作部が用いられているため、一方の操作部を操作中に他方の操作部の操作がされてしまうことを抑制することができ、検者が誤操作をしてしまう可能性を低減することができる。
【００２１】
例えば、第１操作部又は第２操作部のいずれか一方の操作部の周囲に、他方の操作部が配置されている構成としては、第１操作部又は第２操作部の一方の操作部を中心として、その周囲に他方の操作部が設けられる構成であってもよい。なお、例えば、第１操作部又は第２操作部のいずれか一方の操作部の周囲に、他方の操作部が配置されている構成について、以下の説明においては、第２操作部が第１操作部の周囲に配置されている場合を例に挙げて説明する。もちろん、以下の説明の構成は、第１操作部が第２操作部の周囲に配置されている場合においても同様に適用できる。
【００２２】
例えば、第１操作部を中心として、その周囲に第２操作部が設けられる構成の場合に、第２操作部は複数の操作部を有する構成としてもよい。この場合に、例えば、第２操作部における複数の操作部は、第１操作部を中心として、対称に配置されてもよい。また、この場合に、例えば、第２操作部における複数の操作部は、第１操作部を中心として、周囲に配置される複数の操作部は、非対称に配置されてもよい。
【００２３】
例えば、第１操作部を中心として、その周囲に第２操作部が設けられる構成の場合におけるより好ましい一例として、第１操作部は回転ノブ（例えば、回転ノブ３６）であり、第２操作部がボタンスイッチ（例えば、視標変更スイッチ４０）であってもよい。この場合、例えば、ボタンスイッチは、回転ノブの周囲に配置されてもよい。なお、上記記載では、第１操作部が回転ノブ、第２操作部がボタンスイッチを例に挙げているが、第１操作部がボタンスイッチ、第２操作部が回転ノブであってもよい。例えば、第１操作部を回転ノブとし、第２操作部をボタンスイッチとして、それぞれ配置することによって、異なる位置に、異なる操作部が用いられているため、一方の操作部を操作中に他方の操作部の操作がされてしまうことをより抑制することができ、検者が誤操作をしてしまう可能性をより低減することができる。また、例えば、第１操作部を回転ノブとし、第２操作部をボタンスイッチとして、それぞれ配置することによって、より簡易的な構成でコントローラを構成することができ、複雑な制御、部材の増加を抑制することができる。
【００２４】
なお、例えば、第２操作部のボタンスイッチとしては、複数のボタンスイッチであってもよい。例えば、一例として、第２操作部のボタンスイッチとしては、少なくとも４つのボタンスイッチ（例えば、ボタンスイッチ４０ａ、ボタンスイッチ４０ｂ、ボタンスイッチ４０ｃ、ボタンスイッチ４０ｄ）であって、４つのボタンスイッチは、回転ノブの上方位置、下方位置、左方位置、及び右方位置にそれぞれ配置されているようにしてもよい。もちろん、例えば、第２操作部のボタンスイッチとしては、１つのボタンスイッチであってもよい。この場合、例えば、検者がボタンスイッチを選択する位置に応じて、入力される第１操作信号が変更されるようにしてもよい。
【００２５】
この場合、例えば、上方位置及び下方位置に配置されたボタンスイッチは、視力値の異なる視標間の変更に用いられるようにしてもよい。より詳細には、例えば、検者によって上方位置のボタンスイッチが選択されることで視力値の低い視標への変更（例えば、視力値が０．５の視標から視力値が０．４の視標への変更等）が行われる。また、例えば、検者によって下方位置のボタンスイッチが選択されることで視力値の高い視標への変更（例えば、視力値が０．５の視標から視力値が０．６の視標への変更等）が行われる。また、例えば、検者によって左方位置又は右方位置のボタンスイッチが選択されることで同一の視力値の視標であって、視標の形態が異なる視標に変更（例えば、特定の文字から異なる文字に変更等）が行われる。例えば、第１操作部を回転ノブとし、第２操作部を少なくとも４つのボタンスイッチとして、４つのボタンスイッチを回転ノブの上方位置、下方位置、左方位置、及び右方位置にそれぞれ配置することによって、視標呈示手段の制御をより直感的に行うことができる。すなわち、例えば、視力値の異なる視標の変更を行う場合には、視力値の増減が上下方向のボタンスイッチと関連づけられており、同一の視力値の視標であって、視標の形態が異なる視標に変更を行う場合には、視力値の変更無しの状態での視標の変更が左右方向のボタンスイッチと関連づけられている。このため、視標の変更のイメージとボタンスイッチが配置された各方向のイメージとが関連づけやすく、視標呈示手段の制御をより直感的に行うことができる。
【００２６】
なお、例えば、上方位置に配置されたボタンスイッチ（例えば、ボタンスイッチ４０ａ）と、下方位置に配置されたボタンスイッチ（例えば、ボタンスイッチ４０ｂ）は、第１操作部である回転ノブを中心として上下方向に対称に配置されてもよい。もちろん、上方位置に配置されたボタンスイッチと、下方位置に配置されたボタンスイッチは、非対称に配置されていてもよい。また、例えば、左方位置に配置されたボタンスイッチ（例えば、ボタンスイッチ４０ｃ）と、右方位置に配置されたボタンスイッチ（例えば、ボタンスイッチ４０ｄ）は、第１操作部である回転ノブを中心として左右方向に対称に配置されてもよい。もちろん、左方位置に配置されたボタンスイッチと、右方位置に配置されたボタンスイッチは、非対称に配置されていてもよい。なお、例えば、上記のように、上下又は左右のボタンスイッチが非対称に配置される場合、例えば、第１操作部である回転ノブの周囲のいずれかの位置に少なくとも２つのボタンスイッチが集められて配置（例えば、回転ノブの上方位置に２つのボタンスイッチ等）されるようにしてもよい。
【００２７】
なお、本実施形態において、例えば、自覚式検眼装置用コントローラは、さらに、検査段階を変更するための第３操作信号を入力する第３操作部（例えば、モードスイッチ３８）を備えるようにしてもよい。例えば、第３操作部は、前記第１操作部の周辺に配置され、且つ、第２操作部の周辺に配置されるようにしてもよい。
【００２８】
例えば、第３操作部が第１操作部の周辺に配置され、且つ、第２操作部の周辺に配置されている構成とは、第１操作部及び第２操作部の少なくともいずれかと一体的に構成されていてもよい。また、例えば、第３操作部が第１操作部の周辺に配置され、且つ、第２操作部の周辺に配置されている構成とは、第１操作部及び第２操作部の少なくともいずれかに第３操作部が配置されている構成であってもよい。また、例えば、第３操作部が第１操作部の周辺に配置され、且つ、第２操作部の周辺に配置されている構成とは、第１操作部及び第２操作部の周囲に、第３操作部が配置されている構成であってもよい。
【００２９】
例えば、第３操作部としては、種々の操作部を用いることができる。例えば、第３操作部の構成としては、ボタンスイッチ、回転ノブ、ジョグダイヤル、タッチパッド、タッチパネル、トラックボール等の少なくともいずれかが用いられてもよい。もちろん、例えば、第３操作部の構成としては、上記記載の種類の操作部に限らず、他の種類の操作部を用いてもよい。例えば、第３操作部としては、種々の操作部を用いることができる。
【００３０】
例えば、検査段階を変更するための第３操作信号を入力する第３操作部が、第１操作部の周辺に配置され、且つ、第２操作部の周辺に配置されていることによって、検査段階を変更する場合であっても、コントローラ操作時における検者の手の移動を最小限とした状態で、検査段階の変更を行うことができる。例えば、所定の検眼プログラム（複数の検査段階が所定の順序で実行されるように設定されたプログラム）が設定されている場合には、検眼プログラムにおける次の検査段階への移行を迅速に行うことができる。このように、検査段階の変更を迅速に行うことができるとともに、各検査段階における視標光束の変更と視標光束の光学特性の変更を迅速に行うことができるため、検査時間をより短縮することができる。
【００３１】
＜視標呈示手段＞
例えば、視標呈示手段は、視標光束を被検眼に向けて投影する。例えば、視標呈示手段は、視標光束を投影する光源を有する。また、例えば、視標呈示手段は、視標光束を投影する光源から投影された視標光束を被検眼に向けて導光する少なくとも１つ以上の光学部材等を有してもよい。
【００３２】
例えば、視標光束を投影する光源としては、ディスプレイ（例えば、ディスプレイ３１）を用いる構成であってもよい。例えば、ディスプレイとしては、ＬＣＤ（Liquid Crystal Display）や有機ＥＬ（Electro Luminescence）等が用いられる。例えば、ディスプレイには、ランドルト環視標等の検査視標等が表示される。
【００３３】
例えば、視標光束を投影する光源としては、ＤＭＤ（Digital Micromirror Device）を用いてもよい。一般的にＤＭＤは反射率が高く、明るい。そのため、偏光を用いる液晶ディスプレイを用いた場合と比べ、視標光束の光量を維持できる。
【００３４】
例えば、視標光束を投影する光源としては、視標呈示用可視光源と、固視標を持つ視標板と、を有する構成であってもよい。この場合、例えば、視標板は、回転可能なディスク板であり、複数の視標を持つ。複数の視標は、例えば、自覚測定時に使用される視力検査用視標、等を含んでいる。例えば、視力検査用視標は、視力値毎の視標（視力値０．１、０．３、・・・、１．５）が用意されている。例えば、視標板はモータ等によって回転され、視標は、被検眼に視標光速が導光される光路上で切換え配置される。もちろん、視標光束を投影する光源としては、上記構成以外の光源を用いてもよい。
【００３５】
＜矯正手段＞
例えば、矯正手段は、視標光束の光学特性（例えば、球面度数、円柱度数、円柱軸、偏光特性、及び収差量、等の少なくともいずれか）を変更する構成であればよい。例えば、視標光束の光学特性を変更する構成として、光学素子を制御する構成であってもよい。例えば、光学素子としては、例えば、球面レンズ、円柱レンズ、クロスシリンダレンズ、ロータリープリズム、波面変調素子等の少なくともいずれかを用いる構成であってもよい。もちろん、例えば、光学素子としては、上記記載の光学素子とは異なる光学素子を用いるようにしてもよい。
【００３６】
例えば、矯正手段としては、被検眼の眼前に配置される光学素子を切り換えて配置する検眼ユニット（例えば、検眼ユニット６０）であってもよい。この場合、例えば、第１操作部は、検眼ユニット（レフラクター）の光学素子の切り換えを指示する第１操作信号を入力する。例えば、検眼ユニットは、複数の光学素子が同一円周上に配置されたレンズディスク（例えば、レンズディスク６４）と、レンズディスクを回転させるための駆動手段（例えば、駆動部５０）と、を有し、駆動手段（例えば、モータ）の駆動により光学素子を電気的に切り換える構成であってもよい。
【００３７】
例えば、矯正手段としては、視標呈示手段から視標光束を被検眼に向けて導光するための光学部材と、視標呈示手段と、間に光学素子を配置して、光学素子を制御することによって、視標光束の光学特性を変更する構成であってもよい。すなわち、矯正手段としては、ファントムレンズ屈折計（ファントム矯正手段）の構成であってもよい。この場合、例えば、矯正手段によって矯正された視標光束が光学部材を介して被検眼に導光される。
【００３８】
＜実施例＞
本開示の実施例について図面を用いて以下に説明する。図１は本開示に係る自覚式検眼装置を示した概略構成図を示している。図２は本開示に係る検眼ユニットを被検者側から見た外観概略図である。
【００３９】
例えば、本実施例における自覚式検眼装置１は、視標呈示装置３０、検眼ユニット（本実施例においては、左右対称な一対のレンズ室ユニット）６０、コントローラ９、等を備える。
【００４０】
＜検眼ユニット＞
また、例えば、自覚式検眼装置１は、移動ユニット６を備える。例えば、移動ユニット６は、検眼ユニット６０を吊下げ支持する。例えば、移動ユニット６は、被検者の瞳孔間距離に合わせて検査窓６１の間隔を変えるために検眼ユニット６０の間隔を調整するスライド機構、及び検眼ユニット６０の輻輳角（打寄せ角）を調整する輻輳機構を有する移動手段５０を内部に備える。例えば、移動ユニット６の詳細な構成については、例えば、特開２００４−３２９３４５号公報を参考にされたい。
【００４１】
例えば、検眼ユニット６０は、制御部（リレーユニット）１２を介してコントローラ９と接続されており、コントローラ９の操作によって検眼ユニット６０の駆動が制御される。例えば、検眼ユニット６０は、コントローラ９から入力される操作信号（第１操作信号）に応じて、後述するレンズディスク６４を制御し、検眼窓６１に配置される光学素子を変更する。
【００４２】
例えば、検眼ユニット６０の内部には、レンズディスク６４が回転可能に保持されている。例えば、レンズディスク６４には、多数の光学素子（例えば、球面レンズ、円柱レンズ、分散プリズム、等）が同一円周上に配置されている。例えば、レンズディスク６４が駆動部（アクチュエータ）５０によって回転制御されることにより、検者が所望する光学素子が検眼窓６１に配置される。また、例えば、検眼窓６１に配置された光学素子（例えば、円柱レンズ、クロスシリンダレンズ、ロータリープリズム等）が図示無き駆動部によって回転制御されることにより、検者が所望する回転角度にて光学素子が配置される。例えば、検眼窓６１に配置される光学素子の切換え等は、入力手段（操作手段）であるコントローラ９の操作によって行われる。例えば、レンズディスク６４を回転させるための駆動部５０は、駆動源を有する。例えば、駆動源としては、モータ、ソレノイド等が用いられる。もちろん、駆動源としては上記構成に限定されない。例えば、駆動源としては種々の駆動源を用いることができる。また、例えば、駆動部５０の機構としては、周知の構成が用いられる。
【００４３】
例えば、レンズディスク６４は、１つのレンズディスク、又は複数のレンズディスクからなる。例えば、複数のレンズディスクが配置された場合、各レンズディスクに対応する駆動部がそれぞれ設けられる。例えば、レンズディスク群として、各レンズディスクが開口（又は０Ｄのレンズ）及び複数の光学素子を備える。例えば、各レンズディスクの種類としては、度数の異なる複数の球面レンズを有する球面レンズディスク、度数の異なる複数の円柱レンズを有する円柱レンズディスク、補助レンズディスクが代表的な例として挙げられる。例えば、補助レンズディスクには、赤フィルタ／緑フィルタ、プリズム、クロスシリンダレンズ、偏光板、マドックスレンズ、オートクロスシリンダレンズの少なくともいずれかが配置される。また、例えば、円柱レンズは、駆動部５０により光軸を中心に回転可能に配置され、ロータリープリズム及びクロスシリンダレンズは、図示無き駆動部により光軸を中心に回転可能に配置される。なお、レンズディスク機構の詳しい構成については、例えば、特開２００７−６８５７４号公報、特開２０１１−７２４３１号公報を参考にされたい。
【００４４】
例えば、被検者の額と当接する額当て７０は、連結部７１によって移動ユニット６と連結されている。額当て７０は、被検者の頭部を保持し、被検眼の位置を所定の検査位置に固定する役割を持つ。
【００４５】
例えば、支柱３はテーブル１０に設けられ、支持アーム５は、支柱３に移動可能に取り付けられている。検眼ユニット６０は、支持アーム５によってテーブル１０の上方に支持されている。例えば、テーブル１０には、上下動スイッチ１１が設けられている。例えば、上下動スイッチ１１は、テーブルを上下動させるためのスイッチである。例えば、上下動スイッチ１１が操作されることによって、図示無き駆動手段によりテーブル１０の天板の高さ位置を調節するとともに、検眼ユニット６０の高さを調節することができる。
【００４６】
なお、検眼ユニット６０は、上記構成に限定されるものではなく、例えば、電気アクティブレンズの駆動により度数を切り換える構成であってもよい（特開２０１１−２０９７４９参照）。
【００４７】
＜視標呈示装置＞
例えば、視標呈示装置３０は、検眼ユニット６０から所定距離（例えば１ｍ程度）だけ離れた位置に置かれ、遠用検査時に用いられる視標呈示装置である。もちろん、視標呈示装置３０を近用検査時に用いてもよい。本実施例において、例えば、視標呈示装置３０は、ディスプレイ３１に検査視標を表示する視標呈示装置が用いられる。例えば、視標呈示装置３０は、制御部１２を介してコントローラ９と接続されており、ディスプレイ３１に表示される視標の変更等がコントローラ９の操作によって行われる。なお、本実施例においては、視標呈示装置３０としてディスプレイ３１を用いる構成を例に挙げて説明するがこれに限定されない。例えば、視標呈示装置３０は、装置内部に種々の検査視標を提示する視標呈示手段、種々の光学部材を備える視標呈示装置であってもよい。
【００４８】
例えば、視標呈示装置３０は、コントローラ９から入力される操作信号（第２操作信号）に応じて視標呈示部３１に検査視標を表示する。例えば、視標呈示装置３０は、検眼ユニット６０と略同じ高さに位置されると共に、検査に適した距離だけ検眼ユニット６０から離れるように設置される。本実施例では、検眼ユニット６０と視標呈示装置３０との間の距離（検査距離，設置距離）は、遠用検査に適した距離（例えば、５ｍ等）とされている。
【００４９】
例えば、ロッド２は、移動ユニット６に取り付けられている。例えば、ロッド２には、検査視標が複数描かれている近用チャートを持つ近用視標呈示ユニット４が、その長手方向に移動可能に取り付けられている。図１及び図２では、ロッド２は折りたたまれ、近用視標呈示ユニット４も上側に跳ね上げられた状態を示されている。例えば、近用検査時には、ロッド２は水平にされ、近用視標呈示ユニット４が、検眼ユニット６０から所定の位置に置かれる。この位置は、被検眼から所望の距離に調整できる。
【００５０】
＜制御部＞
例えば、制御部１２は、ＣＰＵ（プロセッサ）、ＲＡＭ、ＲＯＭ等を備える。例えば、ＲＡＭは、各種情報を一時的に記憶する。制御部１２のＲＯＭには、自覚式検眼装置１の動作を制御するための各種プログラム、各種検査のための視標データ、初期値等が記憶されている。なお、制御部１２は、複数の制御部（つまり、複数のプロセッサ）によって構成されてもよい。
【００５１】
例えば、制御部１２には、図示無き不揮発性メモリ（記憶部）が電気的に接続されている。不揮発性メモリ（以下、メモリと記載）は、電源の供給が遮断されても記憶内容を保持できる非一過性の記憶媒体である。例えば、ハードディスクドライブ、フラッシュＲＯＭ、ＳＤカード、及び、自覚式検眼装置１に着脱可能に装着されるＵＳＢメモリ等を不揮発性メモリとして使用することができる。例えば、メモリには、自覚式検査装置を制御するための制御プログラムが記憶されている。なお、メモリは、視標呈示装置、コントローラ９、のそれぞれに設けられていてもよい。
【００５２】
例えば、制御部１２は、検眼ユニット６０の電源、コントローラ９からの検眼ユニット６０及び視標呈示装置３０に対する通信を制御するユニットである。制御部１２は、コントローラ９、検眼ユニット６０、視標呈示装置３０と接続されている。例えば、接続は、無線又は有線にて行われる。例えば、制御部１２は、コントローラ９の制御指令を受信し、検眼ユニット６０及び視標呈示装置３０を制御する。  
【００５３】
なお、本実施例においては、制御部１２が、自覚式検査装置１の各種ユニット（例えば、視標呈示手段３０と、検眼ユニット６０）を制御する構成を例に挙げて説明するがこれに限定されない。例えば、自覚式検査装置１の各種ユニットを制御する制御部としては、自覚式検眼装置１の種々のユニットに設けられた制御部が用いられてもよい。例えば、コントローラ９の内部に設けられた制御部が、自覚式検査装置１の各種ユニット（例えば、後述するコントローラ９のモニタ２０、検眼ユニット６０、視標呈示装置３０等）を制御する構成としてもよい。もちろん、例えば、自覚式検査装置１の各種ユニットを制御する制御部としては、種々のユニットに設けられた制御部が少なくとも１つ以上用いられる構成としてもよい。
【００５４】
なお、制御部１２とコントローラ９との間の信号のやりとりは、無線通信にて行われることが好ましい。なお、制御部１２は、必ずしも必須の構成ではなく、コントローラ９からの制御指令を検眼ユニット６０及び視標呈示装置３０が受信する構成であってもよい。
【００５５】
＜コントローラ＞
例えば、コントローラ９は、検眼ユニット６０及び視標呈示装置３０を操作するためのものである。例えば、コントローラ９は、テーブル１０に固定されるものではなく、検者が任意に持ち運ぶことができる。例えば、コントローラ９は、検者の操作を検出する。例えば、コントローラ９は、検者の操作に基づいて検眼ユニット６０及び視標呈示装置３０に操作信号を出力する。
【００５６】
以下、コントローラ９についてより詳細に説明する。図３は、本開示に係るコントローラ９の外観斜視図である。図４は、本開示に係るコントローラ９を上方から見た図である。例えば、コントローラ９は、モニタ２０を備える。本実施例において、例えば、モニタ２０には、検眼ユニット６０に配置されている光学素子の情報、他の装置から取得した被検者の屈折力情報等が表示される。例えば、モニタ２０には、タッチパネル機能が備えられていてもよい。なお、本実施例において、モニタ２０は、タッチパネル機能が備えられている場合を例に挙げて説明する。
【００５７】
以下、モニタ２０の表示画面について説明する。図５は、本開示に係るモニタ２０の表示画面の一例を示す図である。例えば、本実施例においては、モニタ２０の表示画面上には、検眼ユニット６０の左右の検査窓に配置されている光学素子（例えば、Ｓ（球面度数）、Ｃ（乱視度数）、Ａ（乱視軸角度））等の情報２１が表示される。また、例えば、情報２１に選択枠２１ａが重畳表示されており、何れの光学素子の変更をしている状態かが示される。例えば、図４に示されるように、情報２１において、球面度数Ｓの数値が表示された欄に対して選択枠２１ａが重畳表示されていることにより、球面度数Ｓの光学素子の変更していることがわかる。また、例えば、モニタ２０の表示画面上には、視標呈示装置３０に表示されている視標チャート情報２２が表示される。もちろん、モニタ２０の表示画面上には上記表示に限らず、異なる情報が表示されるようにしてもよい。なお、コントローラ９の表示画面の詳細については、例えば、特開２００７−２９６１０１号公報を参考にされたい。
【００５８】
以下、コントローラの構成の説明に戻る。例えば、コントローラ９は、ベース３２、スイッチパネル３５、等を備える。例えば、ベース３２は、コントローラ９のベースであって、上方へ壁状に延びている。例えば、コントローラ９には、図示無き回転部が設けられている。例えば、ベース３２とモニタ２０が回転部を介して連結されていることによって、モニタ２０がベース３２に対して回転可能な構成となっている。例えば、スイッチパネル３５には、複数の操作部が設けられており、視標呈示装置３０、検眼ユニット６０、モニタ２０、等の操作を行うことができる。
【００５９】
以下、スイッチパネル３５の構成を説明する。例えば、スイッチパネル３５には、回転ノブ３６、モードスイッチ３８、視標変更スイッチ４０、等の各種操作部が設けられている。もちろん、スイッチパネル３５には、上記構成とは異なる操作部が設けるようにしてもよい。
【００６０】
本実施例において、例えば、回転ノブ３６は、検眼ユニット６０を制御して視標光束の光学特性の変更するための第１操作信号を入力するために用いられる。例えば、回転ノブ３６が左右に回転されることによって、設定された光学特性の数値が増減される。例えば、球面度数Ｓの検査段階が指定されている場合には、回転ノブが一方向へ回転されることによって球面度数Ｓが増加され、他方へ回転されることによって球面度数Ｓが減少される。なお、本実施例においては、検眼ユニット６０を制御するための操作部（第１操作部）として、回転ノブを用いる構成を例に挙げているがこれに限定されない。例えば、検眼ユニット６０を制御するための操作部（第１操作部）として、異なる構成の操作部が用いられてもよい。例えば、第１操作部の構成としては、ボタンスイッチ、回転ノブ、ジョグダイヤル、タッチパッド、タッチパネル、トラックボール等の少なくともいずれかが用いられてもよい。
【００６１】
例えば、回転ノブ３６が操作されると、第１操作信号が制御部１２に入力される。例えば、制御部１２は、第１操作信号を受信すると、検眼ユニット６０を第１操作信号に基づいて制御し、光学素子を変更する。また、例えば、制御部１２は、球面度数Ｓの変更とともに、モニタ２０の表示画面上の情報２１の数値を変更する。もちろん、回転ノブ３６の操作による制御は、コントローラ９の制御部によって制御されるようにしてもよい。
【００６２】
なお、検者が所望する光学特性の調整を行う場合には、モニタ２０上で調整を行うモードを選択する。例えば、検者が、乱視度数Ｃの変更をしたい場合には、モニタ２０上の乱視度数Ｃの表示画面部分を選択する。制御部１２は、選択された乱視度数Ｃの調整モードに移行するとともに、選択枠２１ａの表示を乱視度数Ｃの数値が表示された欄に対して重畳表示させる。なお、本実施例において、検者が所望する光学特性の調整を行う際の調整モードの設定方法として、モニタ２０上で選択する構成を例に挙げているがこれに限定されない。検者が所望する光学特性の調整を行う際の調整モードの設定方法として、種々の方法にて設定をしてもよい。例えば、スイッチパネル３５上に調整モードを選択する操作部を設けるようにしてもよい。
【００６３】
本実施例において、例えば、モードスイッチ３８は、検査段階を変更するための第３操作信号を入力するために用いられる。例えば、モードスイッチ３８が選択されることによって、検査（検査段階）が変更される。例えば、モードスイッチ３８が操作されると、第３操作信号が制御部１２に入力される。例えば、制御部１２は、第３操作信号を受信すると、次の検査段階の初期設定を行う。例えば、初期設定としては、検眼ユニット６０を制御して、次の検査段階に対応する光学素子の検眼窓６１に配置する。また、例えば、初期設定としては、視標呈示装置２０を制御して、次の検査段階に対応する視標を呈示させる。より詳細には、例えば、一例として、所定の検眼プログラム（複数の検査段階が所定の順序で実行されるように設定されたプログラム）が設定されている場合、検眼プログラムにおける次の検査段階への移行が行われる。例えば、次の検査段階へ移行された場合には、検眼ユニット６０及び視標呈示装置２０は制御され、次の検査段階に対応する初期設定がされる。
【００６４】
本実施例においては、例えば、モードスイッチ３８は、回転ノブ３６の周辺に配置され、且つ、視標変更スイッチ４０の周辺に配置されている。本実施例において、例えば、モードスイッチ３８は、ボタンスイッチである。なお、本実施例においては、検査段階を変更するための操作部（第３操作部）として、ボタンスイッチを用いる構成を例に挙げているがこれに限定されない。例えば、検査段階を変更するための操作部（第３操作部）として、異なる構成の操作部が用いられてもよい。例えば、第３操作部の構成としては、ボタンスイッチ、回転ノブ、ジョグダイヤル、タッチパッド、タッチパネル、トラックボール等の少なくともいずれかが用いられてもよい。
【００６５】
本実施例において、例えば、視標変更スイッチ４０は、視標呈示装置２０を制御して、視標光束を変更するため第２操作信号を入力するために用いられる。本実施例において、例えば、視標変更スイッチ４０は、ボタンスイッチである。なお、本実施例においては、視標呈示装置２０を制御するための操作部（第２操作部）として、ボタンスイッチを用いる構成を例に挙げているがこれに限定されない。もちろん、視標呈示装置２０を制御するための操作部（第２操作部）として、異なる構成の操作部が用いられてもよい。例えば、第２操作部の構成としては、ボタンスイッチ、回転ノブ、ジョグダイヤル、タッチパッド、タッチパネル、トラックボール等の少なくともいずれかが用いられてもよい。
【００６６】
例えば、視標変更スイッチ４０が操作されると、第２操作信号が制御部１２に入力される。例えば、制御部１２は、第２操作信号を受信すると、視標呈示装置２０を第２操作信号に基づいて制御し、視標を変更する。また、例えば、制御部１２は、視標の変更とともに、モニタ２０の表示画面上の視標チャート情報２２を視標呈示装置２０にて表示する視標に変更する。
【００６７】
例えば、視標変更スイッチ４０は、回転ノブ３６の周辺に配置されている。より詳細には、例えば、視標変更スイッチ４０は、回転ノブ３６を中心として、回転ノブ３６の周囲に配置されている。本実施例においては、視標変更スイッチ４０は、４つのボタンスイッチで構成されている。もちろん、視標変更スイッチ４０は、４つのボタンスイッチに限定されない。視標変更スイッチ４０は、１つのボタンスイッチで構成されていてよいし、複数（例えば、２つ以上）のボタンスイッチで構成されていてもよい。
【００６８】
例えば、回転ノブ３６の上方位置には、視標変更スイッチ（ボタンスイッチ）４０ａが配置されている。例えば、回転ノブ３６の下方位置には、視標変更スイッチ（ボタンスイッチ）４０ｂが配置されている。例えば、ボタンスイッチ４０ａとボタンスイッチ４０ｂは、視力値の異なる視標間の変更に用いられる。例えば、検者によってボタンスイッチ４０ａが選択されると、視力値の低い視標への変更を指示する第２操作信号が制御部１２に入力される。制御部１２は、第２操作信号に基づいて、視標呈示装置２０を制御し、視力値の低い視標への変更（例えば、視力値が０．５の視標から視力値が０．４の視標への変更等）を行う。また、例えば、検者によって下方位置のボタンスイッチ４０ｂが選択されると、視力値の高い視標への変更を指示する第２操作信号が制御部１２に入力される。制御部１２は、第２操作信号に基づいて、視標呈示装置２０を制御し、視力値の高い視標への変更（例えば、視力値が０．５の視標から視力値が０．６の視標への変更等）を行う。
【００６９】
例えば、ボタンスイッチ４０ａとボタンスイッチ４０ｂは、回転ノブ３６を中心として、対称に配置されている。もちろん、例えば、ボタンスイッチ４０ａとボタンスイッチ４０ｂは、対称に配置される構成に限定されない。例えば、ボタンスイッチ４０ａとボタンスイッチ４０ｂは、非対称に配置される構成であってもよい。また、例えば、ボタンスイッチ４０ａとボタンスイッチ４０ｂは１つのスイッチで兼用されていてもよい。この場合、例えば、１つのスイッチ上で検者が操作をする位置に応じて、制御部１２に入力される操作信号が変更されるようにしてもよい。
【００７０】
例えば、回転ノブ３６の左方位置には、視標変更スイッチ（ボタンスイッチ）４０ｃが配置されている。例えば、回転ノブ３６の右方位置には、視標変更スイッチ（ボタンスイッチ）４０ｄが配置されている。例えば、ボタンスイッチ４０ｃとボタンスイッチ４０ｄは、同一の視力値の視標であって、視標の形態が異なる視標に変更（例えば、特定の文字から異なる文字に変更等）に用いられる。例えば、検者によって左方位置のボタンスイッチ４０ｃが選択されると、同一の視力値の視標であって視標の形態が異なる視標に変更を指示する第２操作信号が制御部１２に入力される。制御部１２は、第２操作信号に基づいて、視標呈示装置２０を制御し、一の視力値の視標であって視標の形態が異なる視標への変更（例えば、視力値が１．０の特定の文字（く）の視標から、視力値が１．０の異なる文字（と）への変更等）を行う（例えば、図５参照）。また、例えば、検者によって右方位置のボタンスイッチ４０ｄが選択されると、同一の視力値の視標であって視標の形態が異なる視標に変更を指示する第２操作信号が制御部１２に入力される。制御部１２は、第２操作信号に基づいて、視標呈示装置２０を制御し、一の視力値の視標であって視標の形態が異なる視標への変更（例えば、視力値が１．０の特定の文字（く）の視標から、視力値が１．０の異なる文字（け）への変更等）を行う（例えば、図５参照）。
【００７１】
例えば、ボタンスイッチ４０ｃとボタンスイッチ４０ｄは、回転ノブ３６を中心として、対称に配置されている。もちろん、例えば、ボタンスイッチ４０ｃとボタンスイッチ４０ｄは、対称に配置される構成に限定されない。例えば、ボタンスイッチ４０ｃとボタンスイッチ４０ｄは、非対称に配置される構成であってもよい。また、例えば、ボタンスイッチ４０ｃとボタンスイッチ４０ｄは１つのスイッチで兼用されていてもよい。この場合、例えば、１つのスイッチ上で検者が操作をする位置に応じて、制御部１２に入力される操作信号が変更されるようにしてもよい。なお、上記記載のボタンスイッチ４０ａ〜４０ｄは、１つのスイッチで兼用されていてもよい。
【００７２】
以上のような、コントローラ９を用いて、検者は、視標呈示装置３０と検眼ユニット６０との双方を制御して被検眼を自覚的に検査していく。
【００７３】
このように、例えば、自覚式検眼装置用コントローラにおいて、矯正手段（本実施例においては、検眼ユニット６０）を制御して視標光束の光学特性の変更するための第１操作信号を入力する第１操作部（本実施例においては、回転ノブ３６）の周辺に、視標呈示手段（本実施例においては、視標呈示装置３０）を制御して被検眼に向けて投影する視標光束を変更するための第２操作信号を入力する第２操作部（本実施例においては、視標変更スイッチ４０）が配置されていることよって、検者がコントローラを操作して、被検眼の光学特性を自覚的に測定する場合に、コントローラ操作時における検者の手の移動を最小限とした状態で、視標光束の変更と視標光束の光学特性の変更を行うことができる。これによって、例えば、視標光束の変更と視標光束の光学特性の変更を行う際に、検者が手を移動させてコントローラを操作する手間を抑制することができ、視標呈示手段と矯正手段との調整を容易に迅速に行うことができる。また、例えば、視標光束の変更と視標光束の光学特性の変更を迅速に行うことができるため、検査時間を短縮することができる。
【００７４】
また、本実施例のように、例えば、第１操作部又は第２操作部のいずれか一方の操作部の周囲に、他方の操作部が配置されていることによって、指の移動等のより最小限の手の移動で、視標光束の変更と視標光束の光学特性の変更を行うことができるため、操作感をより向上させることができる。また、例えば、第２操作部は、第１操作部の周囲に配置されているより、異なる位置にそれぞれの操作部が用いられているため、一方の操作部を操作中に他方の操作部の操作がされてしまうことを抑制することができ、検者が誤操作をしてしまう可能性を低減することができる。
【００７５】
また、本実施例のように、例えば、第１操作部を回転ノブとし、第２操作部をボタンスイッチとして、それぞれ配置することによって、異なる位置に、異なる操作部が用いられているため、一方の操作部を操作中に他方の操作部の操作がされてしまうことをより抑制することができ、検者が誤操作をしてしまう可能性をより低減することができる。また、例えば、第１操作部を回転ノブとし、第２操作部をボタンスイッチとして、それぞれ配置することによって、より簡易的な構成でコントローラを構成することができ、複雑な制御、部材の増加を抑制することができる。
【００７６】
また、本実施例のように、例えば、第１操作部を回転ノブとし、第２操作部を少なくとも４つのボタンスイッチとして、４つのボタンスイッチを回転ノブの上方位置、下方位置、左方位置、及び右方位置にそれぞれ配置することによって、視標呈示手段の制御をより直感的に行うことができる。すなわち、例えば、視力値の異なる視標の変更を行う場合には、視力値の増減が上下方向のボタンスイッチと関連づけられており、同一の視力値の視標であって、視標の形態が異なる視標に変更を行う場合には、視力値の変更無しの状態での視標の変更が左右方向のボタンスイッチと関連づけられている。このため、視標の変更のイメージとボタンスイッチが配置された各方向のイメージとが関連づけやすく、視標呈示手段の制御をより直感的に行うことができる。
【００７７】
また、本実施例のように、例えば、検査段階を変更するための第３操作信号を入力する第３操作部（本実施例においては、モードスイッチ３８）が、第１操作部の周辺に配置され、且つ、第２操作部の周辺に配置されていることによって、検査段階を変更する場合であっても、コントローラ操作時における検者の手の移動を最小限とした状態で、検査段階の変更を行うことができる。例えば、所定の検眼プログラム（複数の検査段階が所定の順序で実行されるように設定されたプログラム）が設定されている場合には、検眼プログラムにおける次の検査段階への移行を迅速に行うことができる。このように、検査段階の変更を迅速に行うことができるとともに、各検査段階における視標光束の変更と視標光束の光学特性の変更を迅速に行うことができるため、検査時間をより短縮することができる。
【００７８】
なお、本実施例においては、回転ノブ３６の周囲に視標変更スイッチ４０が配置されている構成を例に挙げて説明しているがこれに限定されない。例えば、回転ノブ３６と視標変更スイッチ４０が周辺配置される構成であればよい。例えば、回転ノブ３６が回転機構を備えるとともに、回転ノブがスイッチパネル３５に対してスライド移動可能な機構を備えるようにしてもよい。この場合、例えば、回転ノブ３６が回転機構によって回転される場合に、検眼ユニット６０の制御が行われる。また、例えば、回転ノブ３６がスイッチパネル３５に対して移動する移動機構（例えば、一例として回転ノブ３６がスイッチパネル３５に対して移動するスライド機構等）によって、回転ノブ３６が移動した際に、回転ノブ３６の周辺に設けられている視標変更スイッチに接触する構成とし、視標呈示装置３０の制御が行われるようにしてもよい。なお、この場合、視標変更スイッチは、コントローラ９の内部に設けられるようにしてもよし、外部（コントローラ９の表面）に設けられている構成であってもよい。
【符号の説明】
【００７９】
１  自覚式検眼装置
９  コントローラ
１２  制御部
２０  モニタ
３０  視標呈示装置
３１  ディスプレイ
３５  スイッチパネル
３６  回転ノブ
３８  モードスイッチ
４０  視標変更スイッチ
６０  検眼ユニット
【図１】
0006753123.tif 000002
【図２】
0006753123.tif 000003
【図３】
0006753123.tif 000004
【図４】
0006753123.tif 000005
【図５】
0006753123.tif 000006